(57)【要約】      （修正有）【課題】スチール弦の優れた安定性及び蚕糸弦の温もりと古風のある音色を同時に具備すると共に、蚕糸弦特有の走手音を保有しながらも、指を傷つけない、撚り合わせ角度の大きい、内外逆方向に巻き付くダブルツイスト琴の弦とその製造方法を提供する。【解決手段】ダブルツイスト琴の弦の製造方法であって、軸心線１０と、複数の被覆層２０とを含む。各被覆層は複数本の巻き線２１を含む。複数本の巻き線は、相互に当接すると共に、軸心線の径方向に対する内側にある、隣接する被覆層或は軸心線を覆う。各巻き線の軸心線に対する撚り合わせ角度は、１０度から３０度の間であり、任意の二つの隣接する被覆層の巻き線の傾斜方向は反対である。【選択図】図３
2019191574.tif 000002
【特許請求の範囲】
【請求項１】
軸心線と、該軸心線を囲むように覆い、それぞれ軸心線の径方向に沿って重なり合う複数の被覆層とを含み、
該各被覆層が複数本の巻き線を含み、該複数本の巻き線は相互に当接すると共に、軸心線の径方向に対する内側にある、隣接する被覆層或は軸心線を覆い、該各巻き線が一本の撚り糸であり、該各巻き線が軸心線に対して斜めであり、かつ該各巻き線の軸心線に対する撚り合わせ角度が１０度から３０度の間であり、任意の二つの隣接する被覆層の巻き線の傾斜方向が反対であることを特徴とする、撚り合わせ角度の大きい、内外逆方向に巻き付くダブルツイスト琴の弦。
【請求項２】
撚り合わせ角度の大きい、内外逆方向に巻き付くダブルツイスト琴の弦が延出方向に沿って据え置かれる状態において、断面から見ると、最外層の被覆層の該各巻き線が左下から右上に斜めになっていることを特徴とする、請求項１に記載の撚り合わせ角度の大きい、内外逆方向に巻き付くダブルツイスト琴の弦。
【請求項３】
製造方法は、以下の工程を含み、
つまり、先ず一本の軸心線と撚り糸である複数本の巻き線を用意し、各複数本の巻き線を該軸心線の外周に巻き付けることで、複数の重なり合う被覆層を形成して、該各被覆層の複数本の巻き線を互いに当接させると共に、軸心線の径方向に対する内側にある、隣接する被覆層或は軸心線を覆い、この時、該各巻き線が軸心線に対して斜めであり、かつ該各巻き線の軸心線に対する撚り合わせ角度は１０度から３０度の間であり、
二層目以上の被覆層の複数本の巻き線を巻き付ける時、軸心線に対する傾斜方向と、軸心線の径方向に対する内側にある、隣接する被覆層の複数本の巻き線に対する傾斜方向とが反対である、ことを特徴とする、撚り合わせ角度の大きい、内外逆方向に巻き付くダブルツイスト琴の弦の製造方法。
【発明の詳細な説明】
【技術分野】
【０００１】
本発明は、琴の弦とその製造方法に関し、特に古琴に用いられる弦とその製造方法に関するものである。
【背景技術】
【０００２】
古琴は中国の撥弦楽器であって、音域が広くて音色に優れていることから、昔から古代中国の文人にとって習得すべき必修教養であるとされる。図６及び図７に示すように、昔から古琴に用いられる弦は蚕糸弦９０であり、その原料は蚕糸であり、その内層は、数本の撚り糸で巻き付け、外層は、一本の撚り糸で直線的に巻き付ける方法で製造される。このような蚕糸弦９０は、材質及び製造方法により、音色に温もりと古風があると共に、独特な走手音（弦を抑え滑らせて出す音）を有するので、多くのクラシック音楽家に愛されている。しかし、前記蚕糸弦９０は、天気及び湿度に影響されやすく、安定性に劣ることから、演奏中の調子外れを防ぐため、常に調律する必要がある。また、従来技術では、前記蚕糸弦９０の外層９１の撚り糸を巻き付ける際、軸心線に対する角度は垂直に近いことから、このような一本の撚り糸を直線的に巻き付ける構造は、張力を受けた場合、傷みやすく裂け目かできて、指を傷つけてしまうことが多い。さらに、蚕糸弦は、蚕の繭からとった動物繊維であることから、動物保護及び生態環境に対して懸念があるため、近年ではスチール弦を用いる古琴が増えてきた。
【０００３】
前記スチール弦は、ステンレス鋼線によって作られていることから、安定性に優れており、ほとんど調律する必要がないと共に、天気及び湿度に影響されることもなく、しかもその表面をナイロン樹脂で覆っているため、張力を受けた時に指を傷つけることがない。このように、スチール弦は、蚕糸弦の欠点を克服しているが、欠点も有する。つまり、蚕糸弦特有の温もりや古風のある音色、走手音を同時に失ってしまい、全体的な表情が以前の古琴と全く異なるので、クラシック音楽家には評判が良くない。
【０００４】
従って、従来技術の欠点に鑑み、琴の弦を改善する必要がある。
【発明の概要】
【発明が解決しようとする課題】
【０００５】
本発明は、以上のような従来の欠点に鑑み、スチール弦の優れた安定性及び蚕糸弦の温もりと古風のある音色を同時に具備すると共に、蚕糸弦特有の走手音を保有しながらも、指を傷つけない、撚り合わせ角度の大きい、内外逆方向に巻き付くダブルツイスト琴の弦とその製造方法、を提供することを目的としている。
【課題を解決する手段】
【０００６】
上記目的を達成するために、本発明は、軸心線と、該軸心線を囲むように覆い、それぞれ軸心線の径方向に沿って重なり合う複数の被覆層とを含み、
該各被覆層が複数本の巻き線を含み、該複数本の巻き線は相互に当接すると共に、軸心線の径方向に対する内側にある、隣接する被覆層或は軸心線を覆い、該各巻き線が一本の撚り糸であり、該各巻き線が軸心線に対して斜めであり、かつ該各巻き線の軸心線に対する撚り合わせ角度が１０度から３０度の間であり、任意の二つの隣接する被覆層の巻き線の傾斜方向が反対である。
【０００７】
撚り合わせ角度の大きい、内外逆方向に巻き付くダブルツイスト琴の弦が延出方向に沿って据え置かれる状態において、断面から見ると、最外層の被覆層の該各巻き線が左下から右上に斜めになっていることが好ましい。
【０００８】
前記撚り合わせ角度の大きい、内外逆方向に巻き付くダブルツイスト琴の弦において、各被覆層の複数本の巻き線の本数は３〜２０本の間であることがこのましい。
【０００９】
前記撚り合わせ角度の大きい、内外逆方向に巻き付くダブルツイスト琴の弦において、軸心線及び各被覆層の複数本の巻き線の材質は、合成繊維であることが好ましい。
【００１０】
前記撚り合わせ角度の大きい、内外逆方向に巻き付くダブルツイスト琴の弦において、軸心線及び各被覆層の複数本の巻き線の材質は、ポリエステル繊維及び綿であることが好ましい。
【００１１】
前記撚り合わせ角度の大きい、内外逆方向に巻き付くダブルツイスト琴の弦とその製造方法において、軸心線は、１〜７本の糸からなる撚り糸であることが好ましい。
【００１２】
前記撚り合わせ角度の大きい、内外逆方向に巻き付くダブルツイスト琴の弦とその製造方法において、該琴の弦の径は０．５〜２．５ｍｍの間であることが好ましい。
【００１３】
上記目的を達成するために、本発明の製造方法については、以下の工程を含み、つまり、先ず一本の軸心線と撚り糸である複数本の巻き線を用意し、各複数本の巻き線を該軸心線の外周に巻き付けることで、複数の重なり合う被覆層を形成して、該各被覆層の複数本の巻き線を互いに当接させると共に、軸心線の径方向に対する内側にある、隣接する被覆層或は軸心線を覆い、この時、該各巻き線が軸心線に対して斜めであり、かつ該各巻き線の軸心線に対する撚り合わせ角度は１０度から３０度の間であり、
二層目以上の被覆層の複数本の巻き線を巻き付ける時、軸心線に対する傾斜方向と、軸心線の径方向に対する内側にある、隣接する被覆層の複数本の巻き線に対する傾斜方向とが反対である。
【００１４】
前記撚り合わせ角度の大きい、内外逆方向に巻き付くダブルツイスト琴の弦の製造方法においては、最外層の被覆層の複数本巻き線を巻き付ける際、延出方向に沿って据え置く状態において、断面から見ると、該最外層の被覆層の複数本の巻き線が左下から右上に斜めに巻き付けられていることが好ましい。
【００１５】
前記撚り合わせ角度の大きい、内外逆方向に巻き付くダブルツイスト琴の弦の製造方法において、各被覆層の複数本の巻き線の本数は３〜２０本の間であることが好ましい。
【発明の効果】
【００１６】
本発明の優れたところは、琴の弦には二重以上の被覆層を巻き付けてあることと、それぞれの被覆層は複数本のダブルツイスト撚り糸を含んでいることと、各撚り糸はそれぞれ、軸心線に対する撚り合わせ角度は１０度から３０度であることと、任意の二つの隣接する被覆層における巻き線の傾斜方向は反対であること。従って、本発明は、撚り合わせ角度の大きい、内外逆方向に巻き付くダブルツイスト琴の弦の製造方法によって、二重以上の複数本のダブルツイスト撚り糸からなら被覆層がもたらす下記の利点を有する。
【００１７】
第一に、音質的には、雄勁で力強く、適切な温もりで、悠然と古風がある。
【００１８】
第二に、安定性が高く、ほとんど調律する必要がないと共に、天気及び湿度に影響されにくい。
【００１９】
第三に、音域が広くて、高音域で弦が切れにくい。
【００２０】
第四に、毎層ごとに３〜２０本の撚り糸を大きい撚り合わせ角度で巻き付けていると共に、琴の弦自体の表面のきめが細かく、走手音が確保されており、また、大きい撚り合わせ角度かつ複数本の密接している撚り糸により、張力を受けた場合、最外層の撚り糸が傷んで裂け目ができて指を傷つけてしまうことが少ない。
【００２１】
第五に、本発明は、大きい撚り合わせ角度によって、各撚り糸ごとが撚り合わせの回転で軸方向に沿って一回転する間に進む距離が、従来の琴の弦に対して大幅に超えていることで、音波の振動を琴の弦の両端に速やかに伝導させることかできるので、このような大きい撚り合わせ角度で巻き付けることによって、琴の弦の音の伝導効果が優れている。
【図面の簡単な説明】
【００２２】
【図１−２】図１は本発明に係る斜視図である。図２は本発明に係る部分拡大図である。
【図３】本発明に係る被覆層の要部拡大図である。
【図４】本発明に係る断面図である。
【図５】本発明に係る使用状態を示す参考図である。
【図６】従来の蚕糸弦に係る斜視図である。
【図７】従来の蚕糸弦に係る部分拡大図である。
【発明を実施するための形態】
【００２３】
以下、図面及び本発明の好ましい実施形態において、本発明に係る作成目的を達成する技術手段をさらに説明する。
【００２４】
図1、図2及び図３に示すように、本発明に係る撚り合わせ角度の大きい、内外逆方向に巻き付くダブルツイスト琴の弦は、一本の軸心線１０及び複数の被覆層２０を含む。
【００２５】
図３及び図４に示すように、本実施形態において、軸心線１０は、１〜７本の糸を巻き付けるように形成された撚り糸であるが、本数に限定はない。また、各撚り糸を巻き付ける際、軸心に対する角度θは１０〜３０度の間であり、つまり軸心線１０は、１〜７本の単芯糸によって相互に巻き付けて撚り合わせて形成するものである。また、軸心線１０の材質は合成繊維でもよく、又はポリエステル繊維と綿を含む複合人工繊維でもよいが、これらに限定されるものではない。
【００２６】
複数の被覆層２０は、軸心線１０を囲むように覆い、かつ該各被覆層２０は、軸心線１０の径方向に沿って相互に重なり合い、つまり被覆層２０は、軸心線１０を囲繞して覆い、さらにその上を囲繞して覆い続けていき、本発明の撚り合わせ角度の大きい、内外逆方向に巻き付くダブルツイスト琴の弦の所要の太さに至るまで相互に重なり合い続ける。各被覆層２０は、複数本の巻き線２１を含み、該複数本の巻き線２１は互いに当接すると共に、軸心線１０の径方向に対する内側にある、隣接する被覆層２０或は軸心線１０を覆う。尚、本実施形態において、各被覆層２０の巻き線２１の本数は３〜２０本の間（３本と２０本を含む）であるが、巻き線２１の本数はこれに限定されることはなく、また、巻き線２１の材質は合成繊維であってもよく、又はポリエステル繊維と綿を含む複合人工繊維であってもよいが、これらに限定されるものではない。更に、各巻き線２１は、一本の撚り線であり、つまり二本又は二本以上の単芯線によって相互に巻き付けて撚り合わせて形成するものであり、好ましくは、軸心線１０と同じ形状、サイズ及び材質にすることもでき、これによって製造が容易に行えるが、巻き線２１と軸心線１０とは、異なる撚り糸であってもよい。
【００２７】
前記各被覆層２０の巻き線２１を巻き付ける時は、軸心線１０に対して斜めになっており、かつ各巻き線２１と軸心線１０との間の角度θは１０〜３０度の間であり（１０度と３０度を含む）、また、任意の二つの隣接する被覆層２０の巻き線２１の傾斜方向は反対であり、即ち、全ての巻き線２１は、一端から他端に向かって巻き付くとすると、内外に隣接する被覆層２０の巻き線２１の巻き付く方向はそれぞれ、時計回りと反時計回りである。さらに、本発明の撚り合わせ角度の大きい、内外逆方向に巻き付くダブルツイスト琴の弦が延出方向に沿って据え置かれる状態においては、断面から見ると、最外層の被覆層２０の該各巻き線２１が左下から右上に斜めになっている。
【００２８】
図１〜図４に示すように、本発明の撚り合わせ角度の大きい、内外逆方向に巻き付くダブルツイスト琴の弦の製造方法は、以下の工程を含む。
【００２９】
先ずは、一本の軸心線１０と撚り糸である複数本の巻き線２１を用意し、各複数本の巻き線２１を該軸心線１０の外周に巻き付けることで、複数の重なり合う被覆層２０が形成される。尚、本実施形態において、該軸心線１０及び該巻き線２１は、該軸心線１０及び巻き線２１と構造が同じであるので、繰り返して説明しない。即ち、これに限定されない。
【００３０】
前記各被覆層２０の複数本の巻き線２１は互いに当接すると共に、軸心線１０の径方向に対する内側にある、隣接する被覆層２０或は軸心線１０を覆い、更に、該各巻き線２１は、軸心線１０に対して斜めであり、かつ該各巻き線２１の軸心線１０に対する撚り合わせ角度θは１０度から３０度の間である（１０度と３０度を含む）。
【００３１】
二層目以上の被覆層２０の複数本の巻き線２１を巻き付ける時、軸心線１０に対する傾斜方向と、軸心線１０の径方向に対する内側にある、隣接する被覆層２０の複数本の巻き線２１に対する傾斜方向とは反対であり、即ち、全ての巻き線２１は、一端から他端に向かって巻き付くとすると、内外に隣接する被覆層２０の複数本の巻き線２１の巻き付く方向はそれぞれ、時計回りと反時計回りとなる。
【００３２】
最外層の被覆層２０の複数本の巻き線２１を巻き付ける際、本発明の撚り合わせ角度の大きい、内外逆方向に巻き付くダブルツイスト琴の弦は、延出方向に沿って据え置いた状態において、断面から見ると、該最外層の被覆層２０の複数本の巻き線２１が左下から右上に斜めに巻き付けられている。
【産業上の利用可能性】
【００３３】
図５に示すように、本発明を古琴８０に適用する場合、複数本の撚り合わせ角度の大きい巻き線２１において、琴の弦自体の表面のきめが細かく、走手音が確保されており、また、大きい撚り合わせ角度かつ複数の密接している撚り糸によって、張力を受けた場合、最外層の撚り糸が傷んで裂け目ができて指を傷つけてしまうことが少ない。
【００３４】
以上の説明は、本発明の好ましい実施形態に過ぎず、本発明に対して何ら限定を行うものではない。本発明について、比較的好ましい実施形態をもって上記のとおり開示したが、これは本発明を限定するものではなく、すべての当業者が、本発明の技術構想を逸脱しない範囲において、本発明の技術の本質に基づいて上記の実施形態に対して行ういかなる簡単な修正、変更及び修飾も、依然としてすべて本発明の技術構想の範囲内にある。
【符号の説明】
【００３５】
１０    軸心線
２０    被覆層
２１    巻き線
８０    古琴
９０    蚕糸弦
９１    外層
θ      角度
【図１−２】
2019191574.tif 000003
【図３】
2019191574.tif 000004
【図４】
2019191574.tif 000005
【図５】
2019191574.tif 000006
【図６】
2019191574.tif 000007
【図７】
2019191574.tif 000008
【手続補正書】
【提出日】令和1年5月21日(2019.5.21)
【手続補正１】
【補正対象書類名】明細書
【補正対象項目名】００２２
【補正方法】変更
【補正の内容】
【００２２】
【図１】本発明に係る斜視図である。
【図２】本発明に係る部分拡大図である。
【図３】本発明に係る被覆層の要部拡大図である。
【図４】本発明に係る断面図である。
【図５】本発明に係る使用状態を示す参考図である。
【図６】従来の蚕糸弦に係る斜視図である。
【図７】従来の蚕糸弦に係る部分拡大図である。
【手続補正２】
【補正対象書類名】図面
【補正対象項目名】全図
【補正方法】変更
【補正の内容】
【図１】
2019191574.tif 000009
【図２】
2019191574.tif 000010
【図３】
2019191574.tif 000011
【図４】
2019191574.tif 000012
【図５】
2019191574.tif 000013
【図６】
2019191574.tif 000014
【図７】
2019191574.tif 000015